(57)【要約】【課題】  躯体開口部に設けた遮蔽体の開閉をプーリに巻架した索条体の引き操作で行うようにした開閉装置において、該索条体と躯体側に取り付けられた膳板等との干渉を回避し、円滑な開閉操作ができるようにする。【解決手段】  開閉機構に連動連結され屋内側に向けて突設した作動軸の回転により遮蔽体の開閉がなされるよう構成すると共に、作動軸先端側には索条体が垂下状に巻架され回転自在なプーリを該作動軸の回転軸芯に対し略直交方向に回転軸心を有するように連動連結して、索条体を遮蔽体の遮蔽面に対してそれぞれ前後方向に垂下するようにした。【選択図】  図４
2008111273.tif 000002
【特許請求の範囲】
【請求項１】
建物開口部の屋内外を遮蔽する遮蔽体をプーリに巻架した索条体の引き操作で開閉するようにした遮蔽体の開閉装置であって、該開閉装置は開閉機構に連動連結され屋内側に向けて突設した作動軸の回転により遮蔽体の開閉がなされるよう構成すると共に、作動軸先端側には索条体が垂下状に巻架され回転自在なプーリを該作動軸の回転軸芯に対し略直交方向に回転軸心を有するように連動連結して、索条体が遮蔽体の遮蔽面に対して前後方向に垂下するように構成したことを特徴とする遮蔽体の開閉装置。
【請求項２】
上記プーリはケース体に収納され、該ケース体には前後の索条体のうち一方の索条体を他方の索条体に近接して垂下させる垂下位置変更手段が設けられているこを特徴とする請求項１記載の遮蔽体の開閉装置。
【請求項３】
上記ケース体は、プーリの回転中心に対して室内側方向揺動自在に構成されていることを特徴とする請求項２記載の遮蔽体の開閉装置。
【発明の詳細な説明】
【技術分野】
【０００１】
本発明は、建物の比較的高所に設けられた開口部を遮蔽するサッシ、ブライド、ロールスクリーン等の遮蔽体をプーリに巻架した索条体の引き操作で開閉するようにした遮蔽体の開閉装置の技術分野に関するものである。
【背景技術】
【０００２】
従来、建物の天井近くや吹き抜け部に取り付けられるサッシ、ブライド、ロールスクリーン等の遮蔽体の開閉は高所であるために直接操作を行うことができない。そこで、遮蔽体の開閉機構に連動連結されたプーリに巻架した索条体を手元近傍位置まで垂下させ、該索条体の引き操作を行うことで開閉操作性の向上を図るようにしている。（特許文献１）
【０００３】
一方、これら遮蔽体が取り付けられた開口部下縁には膳板（化粧縁）が設けられるが、該膳板の見込み寸法は壁厚により異なり取り付け現場ごとに種々寸法の膳板が存在することとなる。
【特許文献１】実開昭６４−１８２８０号公報
【発明の開示】
【発明が解決しようとする課題】
【０００４】
ところが、上記した従来の開閉装置は、索条体が巻架されるプーリが開口部に対し直交方向に回転軸心を有する状態で遮蔽体と略平行状に配置されているため
索条体の垂下位置よりも開口部下縁に設けられた膳板が室内側に出っ張っている場合に両者が干渉しこの状態で索条体の引き操作をすると膳板を損傷したり、索条体の引張り力が有効に開閉機構に伝達されないばかりか、索条体がプーリから離脱して開閉操作が不能となってしまう恐れがある。
【０００５】
そこで、このような事態が生じないよう予めプーリの位置を室内側に大きく突出させて索条体と膳板が干渉しないようにしたり、膳板の見込み寸法に応じてプーリの支軸の長さを適宜変更したりして対応するようにしている。
前者のものにおいては、膳板に対してプーリの位置が必要以上に室内側に突出した場合には索条体が壁面から離間し過ぎた位置に垂下することとなって邪魔になってしまい、また後者の場合には種々長さの支軸を用意しなければならない。                      
【課題を解決するための手段】
【０００６】
本発明は、叙述の如き実情に鑑みこれらの課題を解決することを目的として創作されたものであって、請求項１の発明は、建物開口部の屋内外を遮蔽する遮蔽体をプーリに巻架した索条体の引き操作で開閉するようにした遮蔽体の開閉装置であって、該開閉装置は開閉機構に連動連結され屋内側に向けて突設した作動軸の回転により遮蔽体の開閉がなされるよう構成すると共に、作動軸先端側には索条体が垂下状に巻架され回転自在なプーリを該作動軸の回転軸芯に対し略直交方向に回転軸心を有するように連動連結して、索条体が遮蔽体の遮蔽面に対して前後方向に垂下するように構成したことを特徴とする遮蔽体の開閉装置である。
請求項２の発明は、上記プーリはケース体に収納され、該ケース体には二条の索条体のうち一方の索条体を他方の索条体に近接して垂下させる垂下位置変更手段が設けられているこを特徴とする請求項１記載の遮蔽体の開閉装置である。
請求項３の発明は、上記ケース体は、プーリの回転中心に対して室内側方向揺動自在に構成されていることを特徴とする請求項２記載の遮蔽体の開閉装置である。
【発明の効果】
【０００７】
請求項１の発明は、プーリに巻架された索条体が遮蔽体の室内側前後方向に垂下することとなるので、索条体が垂下状態で膳板と干渉している場合でも該索条体の下端部を室内方向で遮蔽体の正面側に移動させて壁面と角度をもたせた傾斜姿勢で引き操作することができ、これにより干渉状態を回避した状態で開閉操作することができるので開閉装置に無理な力が作用しない。
請求項２の発明は、膳板の見込み寸法に応じて索条体の垂下位置を変更して両者の干渉を回避することができる。
請求項３の発明は、請求項２の効果に加え、索条体の下端部を室内方向に移動させて壁面と角度をもたせた傾斜状で引き操作をしてもプーリに円滑かつ効率よく力を伝達することができる。
【発明を実施するための最良の形態】
【０００８】
本発明の開閉装置の実施の形態を図面に基づいて詳細に説明する。
図１乃至３において、１は本発明の遮蔽体の開閉装置を取り付けた辷り出し窓であって、該辷り出し窓１は上枠２ａ，下枠２ｂ，左右の縦枠２ｃ，２ｃとで矩形状に枠組みされた枠体２に内嵌する状態で障子３が設けられている。障子３は、上框３ａ，下框３ｂ，左右縦框３ｄ，３ｃとで囲繞された空間部にガラス等の平板材４の縁部が嵌装されており、図２に示す垂直状の閉鎖姿勢と図３に破線で示すように下端部が室外側に突出した傾斜状の開放姿勢とに変姿可能に構成されている。
【０００９】
図３は障子３の開閉機構を示す図であって、まず左右縦枠２ｃ，２ｃの下部には第一リンク材５ａと第二リンク材５ｂの先端部同士を回転自在にピン６で連結してなるリンク機構５が、第二リンク材５ｂの他端側を下側に位置した状態で縦枠２ｃ，２ｃと縦框３ｃ，３ｃとの間に支持部７によって枢着支持されている。
【００１０】
８は、連結桿であって、該連結桿８は、断面略コ字状の長尺体で形成されており縦枠２ｃ，２ｃと縦框３ｃ，３ｃとの間に上下動自在に設けられており、第一リンク材５ａの他端側が連動桿８の下部にピン９で枢着されている。
また、連動桿８の上部には、障子３の上部を支承する障子支承部材１０が固定され、該障子支承部材１０は、鋼板をプレス成形したものであるがその先端を障子３の上端側に突出成形すると共に上方が室外側に湾曲して縦長の長孔１０ａが穿設され該長孔１０ａに障子３の上端側から突設した支軸１０ｂを嵌入して、支軸１０ｂが長孔１０ａ内を移動可能に構成されている。さらに、縦枠３ｃ，３ｃの上部には障子３の上端側に対向して障子案内部材１１が取り付けられており、該障子案内部材１１には上方が室内側に湾曲して縦長の長孔１１ａが穿設され、該長孔１１ａ内に上記支軸１０ｂが移動自在に嵌入されている。つまり、障子３の上端側から突設した支軸１０ｂは、障子支承部材１０に穿設された長孔１０ａに嵌入され、さらに障子案内部材１１に穿設された長孔１１ａにも嵌入されて該長孔１１ａ内を上下移動自在となるよう構成されている。
【００１１】
１２は、障子３の開放と開放状態を保持するための障子用アームであって、一端側をピン１２ｃを介して回転自在に枢支され枠側付座１２ａによって縦枠２ｃに固定されている。一方、障子用アーム１２の他端側はピン１２ｄによって枢支され障子側付座１２ｂにより障子３の上部に固定されている。
【００１２】
叙述のように構成された本実施形態における開閉機構は、障子３の閉鎖時では連結桿８が上方に位置した状態でリンク機構５が伸長姿勢となると共に支軸１０ｂは長孔１１ａの上端に位置して障子用アーム１２も起立姿勢となっているが、障子３の開放時には連結桿８が下動してリンク機構５のピン６で連結した連結部が室外側に向けて突出した屈曲姿勢となると共に支軸１０ｂは長孔１１ａの下方に位置して障子用アーム１２のピン１２ｄ側が図３の仮想線で示すように室外側に傾斜状に突出した傾斜姿勢となるように構成されている。      
また、障子３の閉鎖時には支軸１０ｂが障子案内部材１１に穿設され室内側に湾曲形成した長孔１１ａによって室内側に誘導案内されて上枠２ａに密着し気密性を確保すると共に障子支承部材１０の長孔１０ａの下端部によって開放方向への移動が規制されるようになっている。
【００１３】
１３は、縦枠２ｃの室内側に設けられリンク機構５を強制屈伸させて障子３を開閉させる開閉作動部であって、該開閉作動部はピン１３ｃで回転自在に枢支され周縁に傾斜状のはす歯が刻設された略半円状のカム板１３ａに凸部１３ｂが一体成形されている。そして、凸部１３ｂとリンク機構５を構成する第一リンク材５ａとはリンク作動アーム１３ｄによってピン１３ｃとピン５ｃとで枢支連結されている。  
また、１４は室内側に突設された作動軸で、該作動軸１４は基端側にはカム板１３ａに刻設されたはす歯に噛合する歯が刻設され、室内側先端部には後述するプーリ機構に連結されるプーリ連結部１４ａが形成されている。
そして作動軸１４は、その基端部の歯とカム板１３ａに刻設されたはす歯を噛合させた状態で回転可能に配設してあり、先端部のプーリ連結部１４ａを露出してその他の作動軸１４とカム板１３ａおよびリンク作動アーム１３ｄはケース１３ｅで被覆することにより外観的にすっきりしたものになっている。
【００１４】
このように構成された開閉作動部１３は、作動軸１４を回転させると、その回転力は基端部のはす歯を介してカム板１３ａに伝達され該カム板１３ａがピン１３ｃを中心として揺動することによりリンク作動アーム１３ｄを介してリンク機構５を屈伸させて該リンク機構５に連結された連動桿８を上下に移動させるようになっている。      
【００１５】
次に、遮蔽体１の開閉操作をするためのプーリー機構の構成を図４乃至図６に基づいて説明する。
１５は、開閉作動部１３に装着されるプーリ機構であって、該プーリ機構１５は樹脂成型された第一ケース体１７にプーリ１６が回転自在に枢着されており、その外周溝部には凸部１６ａが所定間隔を存して配設されている。
なお、第一ケース体１７の側壁には、ケース１３の室内側部位が嵌装可能な寸法を有して取り付け片１７ａ，１７ａが離間対設されている。
またプーリ１６自体は第一ケース体１７に積層して設けられた第二ケース体１９に収納されており、第二ケース体１９は第一ケース体１７に対しプーリ１６の回転中心に対して反時計方向（図４の矢印方向）約４５度の範囲で揺動可能に構成されている。
プーリ１６には凸部１６ａに掛止させて鎖等の操作用索条体２０が巻架してあり、該索条体２０は第二ケース体１９の下面を通じて遮蔽体の遮蔽面４に対してそれぞれ前後方向に垂下するようになつている。そしてこれら前後方向の索条体２０，２０のうち一方の索条体２０を引き操作することでプーリ１６が回転するようになっている。
また、プーリ１６の背面側の枢軸の先端にはベベルギア（傘歯）部１６ｂが形成されている。  ベベルギア（傘歯）部１６ｂには、伝達軸１８がプーリ１６の回転軸心に対して直交状に設けられており該伝達軸１８の先端に形成したベベルギア（傘歯）部１８ａとプーリ側のベベルギア（傘歯）部１６ｂを噛合することでプーリ１６の回転力が直角方向に変換されて伝達軸１８に伝達されるようになっている。  また、伝達軸１８の基端部には作動軸１４の先端に形成したプーリ連結部１４ａが嵌入する嵌入孔１８ｂが設けられている。なお、プーリ連結部１４ａと嵌入孔１８ｂとは、プーリ連結部１４ａを嵌入孔１８ｂに嵌入した状態では伝達軸１８の回転力が作動軸１４に伝導伝達されるよう一方に突条を形成し他方に凹条を形成した所詮凹凸嵌合に構成されている。
【００１６】
１７ｂは、第二ケース体１９に凸設したガイド部であって、図４に示すように索条体２０を各ガイド部１７ｂ，１７ｂの外側にそれぞれ垂下することで索条体２０の垂下姿勢を安定させ、索条体２０を引き操作する際にプーリ１６の近傍位置で索条体２０同士あるいは索条体２０とプーリ１６が交錯しないようになっている。
【００１７】
さらにガイド部１７ｂ，１７ｂ間には垂下位置変更手段が第二ケース体１９に凸設されており、垂下位置変更手段は図４に示すように本実施形態においてはプーリ１６の下側円弧面に対向して湾曲部を形成した振分けガイド１７ｃで構成されており、該振分けガイド１７ｃによってガイド部１７ｂ，１７ｂ間を索条体２０が通過可能な左右空間に区画形成するようになっている。
そして、プーリー機構は、縦枠２ｃから屋内側に向けて突設した作動軸の先端に形成したプーリ連結部１４ａを嵌入孔１８ｂに嵌入連結すると共に取り付け片１７ａ，１７ａ間にケース１３の室内側部位を嵌入し図示しない螺子で固定することによって縦枠２ｃ取り付けられている。
【００１８】
叙述の如く構成された開閉装置の作用について図２乃至図４に基づいて説明する。
閉鎖時の障子３を開放させる場合には、まず垂下状態にある二条の索条体のうち最も室内側に垂下する索条体（図中右側に位置する索条体）を下方に引き操作するとプーリ１６が時計回りに回転しこれに伴って同軸のベベルギア（傘歯）部１６ｂの回転力がベベルギア（傘歯）部１８ａを介して伝達軸１８を時計回りに回転させることとなり結果的に作動軸１４ａに時計回りの回転力が伝達されることとなる。この回転力を受けた作動軸１４ａはカム板１３ａを反時計回りに回転させてリンク作動アーム１３ｄを室外側に押し出すと作動アーム１３ｄに連結されたリンク機構５がピン６を回転芯として室外側に屈曲し連結桿８を下動させる。これに伴って連結桿８の上部に固定された障子支承部材１０が障子３の上部を支軸１０ｂを介して押し下げると障子用アーム１２に支持されながら障子３は下動しながら徐々にその下框３ｂが下枠２ｂから離間していき（図２の矢視方向）傾斜状の開放姿勢となる。なお、開放時の障子３を閉鎖させる場合には垂下状態にある二条の索条体のうち最も遮蔽体側に垂下する索条体２０（図中左側に位置する索条体）を下方に引き操作すればよく、単に上記と反対の作用を呈するものであるので作用説明は省略する。
【００１９】
このような開閉装置は、遮蔽体に対してプーリ１６の回転方向が略直交方向となり、従って索条体２０は遮蔽体１の遮蔽面４に対して前後方向に垂下させることができるので膳板等の障害物が室内側に突出して障害物と索条体２０とが干渉しても図６（Ａ）の仮想線で示すように遮蔽体１の正面側から障害物を避けて索条体２０の引き操作を行うことができ、開閉装置に無理な力を作用させることがない。
【００２０】
また、図６（Ａ）に示すように垂下位置変更手段を設けて索条体２０の垂下位置を遮蔽体１側に移動させた場合には前後二条の索条体２０を壁面近くに沿って垂下させることができ邪魔にならなく、（Ｂ）のように遮蔽体１側の索条体２０を室内側の遮蔽体２０に近接させた場合には、膳板との干渉を回避することができる。
【００２１】
さらに、図７のようにケース体１５を構成する第二ケース体１９をプーリ１６の回転中心に対して室内側方向揺動自在にした場合には、索条体２０を円滑に斜め方向に引き操作し得て遮蔽体１の正面側からの開閉操作を効率よく行うことができる。
【図面の簡単な説明】
【００２２】
【図１】本発明の開閉装置を取り付けた遮蔽体の室内側正面図である。
【図２】同上の縦断面図である。
【図３】遮蔽体の開閉機構を示す作用説明図である。
【図４】図４の（Ａ），（Ｂ），（Ｃ）は、それぞれ開閉装置の上面図、正面            図、左側面図である。
【図５】図５の（Ａ），（Ｂ）は、それぞれ開閉装置を遮蔽体に取り付けた            状態を示す上面図、正面図である。
【図６】図６の（Ａ），（Ｂ）は、それぞれ索条体の垂下位置を変更した場            合の状態図である。
【図７】ケース体を室内側方向揺動自在に構成した場合の状態図である。
【符号の説明】
【００２３】
１    遮蔽体（辷り出し窓）  
２    枠体
３    障子
５    リンク機構
８    連結桿
１０    障子支承部材
１１    障子案内部材
１２    障子用アーム
１３    開閉作動部
１４    作動軸
１５    プーリ機構
１６    プーリ
１７    第一ケース体
１９    第二ケース体
２０    索条体  
【図１】
2008111273.tif 000003
【図２】
2008111273.tif 000004
【図３】
2008111273.tif 000005
【図４】
2008111273.tif 000006
【図５】
2008111273.tif 000007
【図６】
2008111273.tif 000008
【図７】
2008111273.tif 000009